(57)【要約】【課題】検査側基板を挿入して挟持させる挿入部１８の開口状態を確実に保つクリップ式中継コネクタを提供する。【解決手段】絶縁性の第１と第２の基台１０，１２を支軸１４で揺動自在とし、弾性部材２０の弾力で挿入部１８の検査側基板を挟持する。挟持した状態で検査側基板に設けた端子に弾接するようにスプリングコネクタ２４を配設した中継用基板２２を、第２の基台１２に配設する。第１の基台１０に、第２の基台１２の両側で揺動方向に長い一対のアーム２６を設け、支軸１４に対して挿入部１８と反対側で、第２の基台１２より離してアーム２６に支軸１４と平行なカム支軸１８を設け、これにカムレバー３０を揺動自在に配設する。カムレバー３０は、第１の揺動姿勢で弾性部材２０の弾力で検査側基板を挟持し、第２の揺動姿勢で第２の基台１２にカム支軸１８と平行な平面を当接して弾性部材２０の弾力に抗して挿入部１８を開口状態とする。【選択図】　図５
2004111269.tif 000002
【特許請求の範囲】
【請求項１】
絶縁性の第１と第２の基台を支軸により揺動自在に配設するとともに弾性部材を配設して前記支軸の一方側の前記第１と第２の基台の挿入部で検査側基板の端部を弾力的に挟持し得るようになし、前記第１または第２の基台のいずれか一方の基台に中継用基板を配設し、前記中継用基板に前記検査側基板を挟持した状態で前記検査側基板の端部に設けられた端子に弾接するようにスプリングコネクタを配設し、前記第１または第２の基台のいずれか一方の基台に他方の基台の両側で前記他方の基台より揺動方向に長い一対のアームを設け、前記アームに前記支軸の他方側で前記他方の基台より前記揺動方向に離して前記支軸と平行にカム支軸を設け、前記カム支軸にカムレバーを揺動自在に配設し、前記カムレバーの第１の揺動姿勢で前記弾性部材の弾力により前記検査側基板を前記第１と第２の基台で挟持し、前記カムレバーの第２の揺動姿勢で前記他方の基台に当接して前記弾性部材の弾力に抗して前記第１と第２の基台の挿入部を開口状態とししかも前記カムレバーが安定した姿勢となるように前記カムレバーを形成して構成したことを特徴とするクリップ式中継コネクタ。
【請求項２】
請求項１記載のクリップ式中継コネクタにおいて、前記第２の揺動姿勢で前記カムレバーの前記他方の基台に当接する部分を、前記カム支軸に平行な平面に形成して構成したことを特徴とするクリップ式中継コネクタ。
【請求項３】
請求項１記載のクリップ式中継コネクタにおいて、前記第１と第２の揺動姿勢で前記カムレバーの前記他方の基台に対向または当接するそれぞれの部分を、前記カム支軸に平行な複数の平面でそれぞれに形成して構成したことを特徴とするクリップ式中継コネクタ。
【発明の詳細な説明】
【０００１】
【発明の属する技術分野】
本発明は、フレキシブル印刷基板やフレキシブルフラットケーブルなど（以下、検査側基板と称する）の端部に配設された端子を、検査用のテスターなどに電気的接続するためのクリップ式中継コネクタに関するものである。
【０００２】
【従来の技術】
クリップ式中継コネクタの従来の一例が、特開２０００−７７１２２号公報に示される。かかるクリップ式中継コネクタは、フレキシブル基板などの検査側基板の端部を、クリップ式中継コネクタの挿入部の所定位置まで挿入して挟持させることで、検査側基板の端子にスプリングコネクタが適宜に弾接される。これらのスプリングコネクタは、クリップ式中継コネクタに組み込まれた中継用基板を介して、適宜にテスターなどの検査装置に電気的接続され、電子部品などが適宜に検査されることは勿論である。
【０００３】
【発明が解決しようとする課題】
上記従来のクリップ式中継コネクタは、検査側基板に配設された多数の端子を、簡単な操作でテスターなどに正確に電気的接続でき、検査を効率的に行うのに好適である。
【０００４】
しかるに、検査側基板を挟持するための弾性部材の弾力により、検査側基板を挿入するための挿入部を開口状態に保つためには、作業者がクリップ式中継コネクタを手で押さえておく必要がある。そこで、液晶パネルなどの大きな電子部品を検査する際には、大きな電子部品を支持するために作業者の両手が必要であり、その電子部品に付設される検査側基板を挿入部に挿入するには、クリップ式中継コネクタの挿入部を開口させるためにもう一人の作業者が必要であった。また、クリップ式中継コネクタを手で押さえて挿入部を開口状態として作業を行う際に、手で押さえる具合により、挿入部の開口状態が必ずしも完全な状態とならない。そこで、挿入部が不完全な開口状態で検査側基板を挿入ならびに引き抜くことにより、検査側基板に損傷を与えるとともにクリップ式中継コネクタのスプリングコネクタにも損傷を与える虞があった。さらに、電子部品の検査が終了して、クリップ式中継コネクタの挿入部を開口状態として検査側基板を引き抜き、クリップ式中継コネクタから手を離すと、挿入部が弾力により閉じられてしまい、次に検査する電子部品の検査側基板を挿入部に挿入するには、再び挿入部を開口しなければならず、作業がそれだけ煩雑である。
【０００５】
本発明は、上述のごとき従来のクリップ式中継コネクタの事情に鑑みてなされたもので、挿入部の開口状態を確実に保つことができるとともに簡単に開口状態を解除できるクリップ式中継コネクタを提供することを目的とする。
【０００６】
【課題を解決するための手段】
かかる目的を達成するために、本発明の絶縁性の第１と第２の基台を支軸により揺動自在に配設するとともに弾性部材を配設して前記支軸の一方側の前記第１と第２の基台の挿入部で検査側基板の端部を弾力的に挟持し得るようになし、前記第１または第２の基台のいずれか一方の基台に中継用基板を配設し、前記中継用基板に前記検査側基板を挟持した状態で前記検査側基板の端部に設けられた端子に弾接するようにスプリングコネクタを配設し、前記第１または第２の基台のいずれか一方の基台に他方の基台の両側で前記他方の基台より揺動方向に長い一対のアームを設け、前記アームに前記支軸の他方側で前記他方の基台より前記揺動方向に離して前記支軸と平行にカム支軸を設け、前記カム支軸にカムレバーを揺動自在に配設し、前記カムレバーの第１の揺動姿勢で前記弾性部材の弾力により前記検査側基板を前記第１と第２の基台で挟持し、前記カムレバーの第２の揺動姿勢で前記他方の基台に当接して前記弾性部材の弾力に抗して前記第１と第２の基台の挿入部を開口状態とししかも前記カムレバーが安定した姿勢となるように前記カムレバーを形成して構成されている。
【０００７】
そして、前記第２の揺動姿勢で前記カムレバーの前記他方の基台に当接する部分を、前記カム支軸に平行な平面に形成して構成しても良い。
【０００８】
さらに、前記第１と第２の揺動姿勢で前記カムレバーの前記他方の基台に対向または当接するそれぞれの部分を、前記カム支軸に平行な複数の平面でそれぞれに形成して構成することも可能である。
【０００９】
【発明の実施の形態】
以下、本発明の実施例を図１ないし図８を参照して説明する。図１は、本発明のクリップ式中継コネクタの一実施例の平面図である。図２は、図１に示す実施例の正面図である。図３は、図１に示す実施例の左側面図である。図４は、図１のＡ−Ａ矢視断面図である。図５は、カムレバーを操作して挿入部を開口状態とした正面図である。図６は、図５の開口状態の挿入部に検査側基板を挿入した状態の正面図である。図７は、カムレバーを途中まで戻した状態の正面図である。図８は、カムレバーを完全に戻して検査側基板を挟持させた状態の正面図である。
【００１０】
図において、絶縁樹脂などからなる絶縁性の第１の基台１０と、絶縁樹脂などからなる絶縁性の第２の基台１２とが、支軸１４により揺動自在に配設される。そして、第１と第２の基台１０，１２の支軸１４の一方側にフレキシブル基板等の検査用側基板１６が挿入される挿入部１８が設けられる。第１と第２の基台１０，１２に対して検査側基板１６の挿入を規制して位置決めするための機構が適宜に設けられることは勿論である。そして、第１と第２の基台１０，１２の支軸１４の他方側に、挿入部１８が閉じる方向に弾性付勢するスプリングコイル等の弾性部材２０が縮設される。
【００１１】
また、一方の基台である第２の基台１２には、中継用基板２２が組み込まれ、挿入部１８に臨む一端部に、挿入された状態の検査側基板１６の挿入側の端部に配設される端子に対応してスプリングコネクタ２４，２４…が配設される。この中継用基板２２の他端部には、検査用のテスターなどに電気的接続されるケーブル等が電気的接続される接続端子が設けられ、これらの接続端子とスプリングコネクタ２４，２４…が、中継用基板２２に設けられた印刷回路等により適宜に電気的接続されている。
【００１２】
以上の構造は、従来のクリップ式中継コネクタと同様である。本発明のクリップ式中継コネクタの格別な構造は、以下の通りである。
【００１３】
まず、他方の基台である第１の基台１０から、支軸１４に対して挿入部１８とは反対側の他方側に、第２の基台１２の両側で、第２の基台１２よりも揺動方向に長い一対のアーム２６，２６が設けられる。そして、その先端部で第２の基台１２から揺動方向に離して、支軸１４と平行にカム支軸２８が設けられる。さらに、このカム支軸２８に揺動自在にカムレバー３０が配設される。このカムレバー３０は、図２，４，８のごとき第１の揺動姿勢にあっては、弾性部材２０の弾力により挿入部１８が閉じた状態と、図５，６のごとき第２の揺動姿勢にあっては、弾性部材２０の弾力に抗して第２の基台１２を揺動させて、挿入部１８が開口した状態と、さらには図７のごとく、弾性部材２０の弾力に抗して挿入部１８が半分ほど開いた状態の中間の揺動姿勢と、が選択し得る。ここで、第２の揺動姿勢と中間の揺動姿勢において、カムレバー３０は、第２の基台１２にカム支軸２８と平行な平面で弾接するように形成され、第２の揺動姿勢と中間の揺動姿勢が安定して保たれるようになされている。また、第１の揺動姿勢にあっても、カムレバー３０は、検査側基板１６が挿入部１８に挿入されない状態では、カム支軸２８と平行な平面で第２の基台１２に弾接するように形成されるが、検査側基板１６が挿入された状態にあっては、第２の基台１２に弾接されないように形成される。
【００１４】
かかる構成において、カムレバー３０を、図５のごとく第２揺動姿勢として、挿入部１８を開口状態とする。この開口状態は、カムレバー３０により保たれ、手を離しても挿入部１８が閉じることがない。そこで、図６のごとく、電子部品に付設された検査側基板１６を挿入部１８に所定位置まで挿入し、その後カムレバー３０を図７の中間の揺動姿勢まで戻し、検査用基板１６の端子にスプリングコネクタ２４，２４…が適正に弾接していることを確認して、さらにカムレバー３０を戻して、図８のごとく第１の揺動姿勢とし、検査用基板１６の端子にスプリングコネクタ２４，２４…が適正な弾力で弾接して電気的接続する状態として、適宜に電子部品の検査を行う。
【００１５】
検査が終了すれば、カムレバー３０を、再び第２の揺動姿勢まで操作して挿入部１８を開口状態として、検査側基板１６を挿入部１８から引き抜くことができる。しかも、挿入部１８の開口状態が保たれており、次に検査する電子部品の検査用基板１６を挿入部１８に簡単に挿入することができる。
【００１６】
そこで、カムレバー３０により、挿入部１８の開口状態が確実に保たれるので、大きな電子部品を検査するために作業者の両手がふさがっていても、挿入部１８に当該電子部品の検査用基板１６を挿入することができる。また、挿入部１８の開口状態が継続して保たれるので、検査が終了した検査用基板１６の引き抜きと、次の検査の電子部品のための検査用基板１６の挿入とを、カムレバー３０を操作することなしに連続して作業することができる。しかも、挿入部１８の開口状態は、カムレバー３０により一定であり、不完全な開口状態で検査用基板１６を挿入しまたは引き抜くようなことがない。
【００１７】
なお、上記実施例では、アーム２６，２６…は、第１の基台１０とは別体で形成されたものが、分離しないように適宜に第１の基台１０に組み付けられているが、第１の基台１０とアーム２６，２６が一体に成形されても良いことは勿論である。アーム２６，２６を別体で形成し、共締等により適宜に第１の基台１０に組み付けられるようにすれば、従来のクリップ式中継コネクタを本発明のクリップ式中継コネクタに改造することができる。また、アーム２６，２６…は、第２の基台１２に適宜に組み付けられても良い。そして、上記実施例では、カムレバー３０が、中間の揺動姿勢を得られるように形成することで、第２の揺動姿勢から第１の揺動姿勢に、弾性部材２０の弾力で急激に揺動するのを阻止しているが、これに限られず、カムレバー３０は少なくとも第１と第２の揺動姿勢が安定して得られる形状であれば良いことは容易に理解されるであろう。さらに、カムレバー３０は、検査側基板１６を挟持する第１の揺動姿勢と、挿入部１８の開口状態を保つ第２の揺動姿勢が安定して得られれば良く、カムレバー３０を操作すべき揺動方向や揺動姿勢は、上記実施例に限られるものでない。
【００１８】
【発明の効果】
以上説明したように、本発明のクリップ式中継コネクタは構成されているので、以下のごとき格別な効果を奏する。
【００１９】
請求項１記載のクリップ式中継コネクタにあっては、カムレバーを第２の揺動姿勢とすることで、挿入部を開口状態に保つことができ、検査用基板の挿入および引き抜きが容易である。しかも、確実に挿入部が開口されており、不充分な開口状態で、検査用基板を挿入しまたは引き抜くことで損傷させるようなことがない。
【００２０】
請求項２記載のクリップ式中継コネクタにあっては、カムレバーが第２の揺動姿勢で他方の基台に当接する部分を、カム支軸に平行な平面としたので、この第２の揺動姿勢を解除するには、弾性部材の弾力に抗して他の基台を若干さらに揺動させなければならず、弾性部材の弾力により第２の揺動姿勢を安定して保つことができる。
【００２１】
請求項３記載のクリップ式中継コネクタにあっては、カムレバーが第１と第２の揺動姿勢で他方の基台に当接するそれぞれの部分を、カム支軸に平行な複数の平面でそれぞれに形成したので、カムレバーが複数の揺動姿勢をそれぞれに安定して保つことができ、弾性部材の弾力によりカムレバーが急激に揺動するのを抑制することができる。
【図面の簡単な説明】
【図１】本発明のクリップ式中継コネクタの一実施例の平面図である。
【図２】図１に示す実施例の正面図である。
【図３】図１に示す実施例の左側面図である。
【図４】図１のＡ−Ａ矢視断面図である。
【図５】カムレバーを操作して挿入部を開口状態とした正面図である。
【図６】図５の開口状態の挿入部に検査側基板を挿入した状態の正面図である。
【図７】カムレバーを途中まで戻した状態の正面図である。
【図８】カムレバーを完全に戻して検査側基板を挟持させた状態の正面図である。
【符号の説明】
１０　第１の基台
１２　第２の基台
１４　支軸
１６　検査側基板
１８　挿入部
２０　弾性部材
２２　中継用基板
２４　スプリングコネクタ
２６　アーム
２８　カム支軸
３０　カムレバー
【図１】
2004111269.tif 000003
【図２】
2004111269.tif 000004
【図３】
2004111269.tif 000005
【図４】
2004111269.tif 000006
【図５】
2004111269.tif 000007
【図６】
2004111269.tif 000008
【図７】
2004111269.tif 000009
【図８】
2004111269.tif 000010